(57)【要約】【課題】電気温水器と水栓装置とを備えた温水器装置において、加温時の膨張水を逃し機構によって逃すようにする。また温水器装置を少ない部品点数で安価に構成し必要なスペースも少なく、施工も簡単に行えるようにする。【解決手段】電気温水器に水栓装置１８を接続し、電気温水器からの温水を水栓装置１８の吐水口２８より吐水するようになした温水器装置において、電気温水器での加温で生じた膨張水の圧力によって強制開弁させられ、膨張水を逃して吐水口２８から吐水させる逃し弁６２を含んだ逃し機構５８を、ハンドル４４の操作により主流路３８を開閉し、吐水口２８からの吐水と止水とを行わせる主弁４２とは別途に水栓装置１８に備えておく。【選択図】        図４
2004245492.tif 000002
【特許請求の範囲】
【請求項１】
水道水を加温して貯溜する温水器に水栓装置を接続し、該温水器からの温水を該水栓装置の吐水口より吐水するようになした温水器装置において、
前記温水器での加温で生じた膨張水の圧力によって強制開弁させられ、該膨張水を逃して前記吐水口から吐水させる逃し弁を含んだ逃し機構を、前記水栓装置の通常使用時において水栓操作部の操作により主流路を開閉し、前記吐水口からの吐水と止水とを行わせる主弁とは別途に該水栓装置に備えたことを特徴とする温水器装置。
【請求項２】
請求項１において、前記逃し機構が、前記主流路の前記主弁の上流部と下流部とを繋ぐように設けられた、該主流路よりも小流路の逃し流路を有しており、該逃し流路上に前記逃し弁がばねにより閉弁方向に付勢された状態で設けてあることを特徴とする温水器装置。
【請求項３】
請求項２において、前記逃し弁及びばねは、前記膨張水の圧力に抗して該逃し弁が閉弁方向に押し付けられる向きに設けてあることを特徴とする温水器装置。
【請求項４】
請求項１〜３の何れかにおいて、所定の内部容積を有し、前記温水器での加温時の膨張水による圧力上昇を吸収する圧力吸収室が前記温水器に連通する状態で前記逃し機構とは別途に備えられており、前記膨張水が異常に発生したときに該逃し機構が働くように構成してあることを特徴とする温水器装置。
【請求項５】
（イ）主流路上に設けられた弁座と、（ロ）回転操作ハンドルの回転操作によりねじ送りで進退し、該主流路の圧力に抗して前進端で該弁座に押し付けられて該主流路を閉鎖するとともに、後退により該主流路を開く主弁と、（ハ）該主弁を貫通して該主流路における該主弁の上流部と吐水口側の下流部とを連通させる、該主流路よりも小流路の逃し流路と、（ニ）該逃し流路上において該主弁に形成された弁座に対し、該主流路の前記上流部の圧力に抗して着座し閉弁する逃し弁と、（ホ）該逃し弁を閉弁方向に付勢するばねと、を有していることを特徴とする水栓装置。
【発明の詳細な説明】
【０００１】
【発明の属する技術分野】
この発明は電気温水器等の温水器と水栓装置とを備えた温水器装置及びその水栓装置に関し、詳しくは加温時の膨張水に起因する問題の解決手段に特徴を有するものに関する。
【０００２】
【従来の技術】
従来、洗面台ないし洗面化粧台のキャビネットやキッチンキャビネット等の内部に小型電気温水器を設置し、カウンター上等に設置した水栓装置を電気温水器に接続して電気温水器の温水を水栓装置に供給することが行われている。
このようにすると、洗面化粧台等即ち水栓装置が給湯器から遠く離れた位置に設置されている場合においても、水栓装置を操作したとき直ちに温水を吐水口から吐水させることができる。
【０００３】
このような電気温水器と水栓装置とを含んだ温水器装置が、下記特許文献１に開示されている。
図１０はその具体例を示している。
図１０（イ）において２００は電気温水器で、内部にヒータ２０２が設けられている。
給水管２０４を通じ減圧弁２０６を経て電気温水器２００内部に供給された水道水は、このヒータ２０２により加温され電気温水器２００内部に貯溜される。
【０００４】
２０８は洗面器２１０の上面に設置された水栓装置で、電気温水器２００に貯溜された温水は、温水管２１２を通じて水栓装置２０８に送られ、その吐水口２１４から洗面器２１０に吐水される。
洗面器２１０に吐水された水は、排水管２１６を通じて外部に排出される。この排水管２１６の排水経路上には排水トラップ２１８が設けられている。
【０００５】
電気温水器２００からはまた逃し管２２０が延び出しており、その逃し管２２０上に逃し弁２２２が設けられている。
これら逃し管２２０及び逃し弁２２２は、ヒータ２０２による加温の際の膨張水を逃すためのもので、逃し管２２０からの逃し水は、逃し水用の排水管２２４を通じ排水トラップ２２６を経て、洗面器２１０からの排水管２１６に排水される。
ここで排水管２２４上には逆止弁２２８が設けられている。
【０００６】
しかしながらこの温水器装置の場合、別部品としての逃し弁２２２が必要であるのに加えて、膨張水を逃すための逃し管２２０，排水トラップ２２６を含む排水管２２４等が必要であり、またそれらの配管施工も必要であるのに加えて、それらを設置し或いは配管するためのスペースを必要とする問題がある。
【０００７】
そこでこの特許文献１では、図１０（ロ）に示しているように膨張水に起因する圧力上昇を吸収（膨張水自体の吸収も含む。以下同）するための、所定容積の圧力吸収室２３０を内部に有する圧力吸収器２３２を電気温水器２００に付設するようにしている。
そしてこのようになすことにより、図１０（イ）の温水器装置で必要とされていた逃し弁２２２や逃し管２２０，排水トラップ２２６を含む排水管２２４等を省略可能としている。
【０００８】
【特許文献１】
実開平７−３２４５２号公報
【０００９】
【発明が解決しようとする課題】
しかしながらこの同図（ロ）に示す電気温水器装置の場合、通常の使用時に発生する膨張水、例えば４０℃の温水を６０℃まで加温する際に生ずる２０ｃｃ程度の膨張水であれば、小容量の圧力吸収器２３２で対応できるものの、膨張水が異常に大量に発生したような場合、例えば０℃の水を１００℃まで沸かし上げてしまったときのような場合において、その大量の膨張水ないし異常な圧力上昇をこの圧力吸収器２３２で吸収しようとすると、必然的にかかる圧力吸収器２３２として大容量の大型のものが必要となる。
【００１０】
しかしながらこのような異常な現象は日常的には発生せず、ごく稀にしか発生しないものであり、そのような場合に備えてかかる圧力吸収器２３２として大型のものを設置しておくことはいわば過剰品質であり、無駄が多い。
【００１１】
【課題を解決するための手段】
本発明の温水器装置及び水栓装置はこのような課題を解決するために案出されたものである。
而して請求項１のものは、水道水を加温して貯溜する温水器に水栓装置を接続し、該温水器からの温水を該水栓装置の吐水口より吐水するようになした温水器装置において、前記温水器での加温で生じた膨張水の圧力によって強制開弁させられ、該膨張水を逃して前記吐水口から吐水させる逃し弁を含んだ逃し機構を、前記水栓装置の通常使用時において水栓操作部の操作により主流路を開閉し、前記吐水口からの吐水と止水とを行わせる主弁とは別途に該水栓装置に備えたことを特徴とする。
【００１２】
請求項２のものは、請求項１において、前記逃し機構が、前記主流路の前記主弁の上流部と下流部とを繋ぐように設けられた、該主流路よりも小流路の逃し流路を有しており、該逃し流路上に前記逃し弁がばねにより閉弁方向に付勢された状態で設けてあることを特徴とする。
【００１３】
請求項３のものは、請求項２において、前記逃し弁及びばねは、前記膨張水の圧力に抗して該逃し弁が閉弁方向に押し付けられる向きに設けてあることを特徴とする。
【００１４】
請求項４のものは、請求項１〜３の何れかにおいて、所定の内部容積を有し、前記温水器での加温時の膨張水による圧力上昇を吸収する圧力吸収室が前記温水器に連通する状態で前記逃し機構とは別途に備えられており、前記膨張水が異常に発生したときに該逃し機構が働くように構成してあることを特徴とする。
【００１５】
請求項５は水栓装置に関するもので、（イ）主流路上に設けられた弁座と、（ロ）回転操作ハンドルの回転操作によりねじ送りで進退し、該主流路の圧力に抗して前進端で該弁座に押し付けられて該主流路を閉鎖するとともに、後退により該主流路を開く主弁と、（ハ）該主弁を貫通して該主流路における該主弁の上流部と吐水口側の下流部とを連通させる、該主流路よりも小流路の逃し流路と、（ニ）該逃し流路上において該主弁に形成された弁座に対し、該主流路の前記上流部の圧力に抗して着座し閉弁する逃し弁と、（ホ）該逃し弁を閉弁方向に付勢するばねと、を有していることを特徴とする。
【００１６】
【作用及び発明の効果】
以上のように本発明は、電気温水器等の温水器と水栓装置とを備えた温水器装置において、その水栓装置に、温水器の膨張水による圧力によって強制開弁し、膨張水を水栓装置の吐水口から逃す逃し弁を含んだ逃し機構を主弁とは別途に水栓装置に備えたもので、本発明によれば、図１０（イ）に示す従来の温水器装置のように逃し弁２２２や逃し管２１０，排水トラップ２２６を含む排水管２２４等を設けなくても、温水器での加温の際の膨張水を逃すことができる。
【００１７】
従って本発明によれば、少ない部品点数で温水器装置を構成することができ、また膨張水を逃すための逃し管や排水管，排水トラップ等の配管施工作業を省略することができ、またそれらが広いスペースを占有してしまうといった問題も解決することができる。
【００１８】
本発明の温水器装置は、温水器の通常の使用時に日常的に発生する比較的少量の膨張水を逃すことができることは勿論、異常時において多量に発生した膨張水も支障なく逃すことができる。
従って本発明によれば、場合によって図１０（ロ）の温水器装置における圧力吸収器２３２即ち圧力吸収室２３０を省略することが可能である。
【００１９】
本発明において逃し機構は、水栓装置における主流路の、主弁の上流部と下流部とを繋ぐように設けた小流路の逃し流路と、その逃し流路上に設けた逃し弁と、この逃し弁を閉弁方向に付勢するばねとを含んで構成することができる（請求項２）。
【００２０】
この場合においてそれら逃し弁及びばねは、膨張水の圧力に抗して逃し弁が閉弁方向に押し付けられる向きに設けておくことができる（請求項３）。
【００２１】
上記のように、本発明によれば図１０（ロ）に示す圧力吸収室２３０のようなものを省略して構成することが可能である。
但しこのような圧力吸収室と逃し機構とを併せて温水器装置に備えておくようになすこともできる（請求項４）。
このようになした場合、通常の使用時において日常的に温水器で発生する比較的少量の膨張水ないしこれに起因する圧力上昇についてはこれを圧力吸収室にて吸収し、異常時において膨張水が多量に発生したときだけ、これを水栓装置に備えた逃し機構を通じて吐水口から逃すようになすことができる。
【００２２】
次に請求項５は、主流路上に設けられた弁座と、回転操作ハンドルの回転操作によりねじ送りで進退し、前進端で弁座に押し付けられて流路を閉鎖する主弁と、その主弁を貫通して設けられた小流路の逃し流路と、逃し流路上において主弁に形成された弁座に対し主流路の上記上流部の圧力に抗して着座し閉弁する逃し弁と、その逃し弁を閉弁方向に付勢するばねとを含んで水栓装置を構成したもので、かかる水栓装置は上記温水器装置における水栓装置として好適に用いることができる。
【００２３】
【実施例】
次に本発明の実施例を図面に基づいて詳しく説明する。
図１において１０は洗面台で、洗面器１２と下側のキャビネット１４とを有している。
キャビネット１４の内部には電気温水器１６が設置されており、また洗面器１２の上面には電気温水器１６とともに温水器装置を構成する水栓装置１８が設置されている。
電気温水器１６には給水管２０が接続されており、この給水管２０を通じて水道水が減圧弁２２を経て電気温水器１６内部に供給される。
【００２４】
図２及び図３（Ａ）に示しているように、電気温水器１６にはヒータ２４が内蔵されており、電気温水器１６内部に供給された水道水がこのヒータ２４により加温され、電気温水器１６内部に貯溜される。
通常、電気温水器１６内部はその温水によって満水状態にある。
【００２５】
この電気温水器１６からは温水管２６が延び出しており、その先端が水栓装置１８に接続されている。
電気温水器１６内部の温水は、この温水管２６を通じて水栓装置１８に供給され、その吐水口２８から洗面器１２に向けて吐水される。
【００２６】
その吐水は、洗面器１２底部の排水口から排水管３０を通じて外部に排出される。
この排水管３０には、その途中箇所に回曲形状の排水トラップ３２が設けられている。
【００２７】
図４に水栓装置１８の構成が具体的に示してある。
同図において３４は水栓本体で、３６はそのハウジングである。
ハウジング３６の内部には主流路３８が形成されており、その主流路３８上に弁座４０と主弁４２とが設けられている。
【００２８】
主弁４２は、弁座４０に対し下向きに着座することによって、主流路３８における上流部３８ａと吐水口２８側の下流部３８ｂとを遮断し、また弁座４０から上向きに離間することによって、上流部３８ａと下流部３８ｂとを連通させる。即ち主弁４２の弁座４０への着座或いはこれからの離間によって主流路３８が開閉される。
【００２９】
４４は回転ハンドルで、４６はこの回転ハンドル４４と一体回転するスピンドルである。
スピンドル４６の下部には大径部４８が設けられていて、その外周面の雄ねじ５０が、ハウジング３６の雌ねじ５２に螺合されている。
【００３０】
スピンドル４６は、これら雄ねじ５０と雌ねじ５２との螺合に基づいて、回転ハンドル４４の回転操作により軸方向、即ち図４中上下方向にねじ送りで進退する。
このスピンドル４６には凹部５４が設けられていて、その凹部５４の下部に主弁４２の凸嵌入部５６が嵌入させられている。
【００３１】
この例の水栓装置１８には、電気温水器１６での加温により生ずる膨張水を逃すための逃し機構５８が備えられている。
この逃し機構５８は、主弁４２を貫通して上流部３８ａと下流部３８ｂとを連通させる逃し流路６０と、その逃し流路６０上に設けられた逃し弁６２と、この逃し弁６２を主弁４２に形成された弁座６４に対し着座させる方向、即ち逃し弁６２を閉弁方向に付勢するばね６６とを有している。
ここで逃し弁６２及びばね６６は、スピンドル４６に設けられた上記凹所５４内部に収容されている。
【００３２】
本例においては、水栓装置１８における回転ハンドル４４を回転操作して、スピンドル４６を図４中上向きに後退させると、主弁４２が弁座４０から離間して主流路３８が開き、電気温水器１６からの温水が温水管２６を通じて水栓装置１８に流れ込んだ上、吐水口２８から吐水される。
【００３３】
また一方回転ハンドル４４を逆向きに回転操作して、スピンドル４６をねじ送りで図４中下向きに前進移動させると、主弁４２が弁座４０に着座して主流路３８が閉鎖され、吐水口２８からの温水の吐水が停止する。
【００３４】
この水栓装置１８には、上記のように膨張水の逃し機構５８が備えられており、電気温水器１６での加温時に膨張水が生ずると、その圧力によって逃し弁６２がばね６６の付勢力に抗して図４中上向きに押し上げられ、逃し流路６０を開放する。
ここにおいて温水器１６の加温により生じた膨張水が逃し流路６０を通じて主流路３８の上流部３８ａから下流部３８ｂに、更に水栓装置１８における吐水口２８から外部へと逃される。
【００３５】
このように本例によれば、電気温水器１６での加温の際の膨張水を水栓装置１８の逃し機構５８によって吐水口２８から逃すことができため、温水器装置を少ない部品点数で構成することができ、また膨張水を逃すための逃し管や排水管，排水トラップ等の配管施工を省略することができ、またそれらが広いスペースを占有してしまう問題も解決することができる。
【００３６】
本例の温水器装置は電気温水器１６の通常の使用時において日常的に発生する比較的少量の膨張水を逃すことができることは勿論、異常時において多量に発生した膨張水も支障なく逃すことができる。従って本例によれば図１０（ロ）の温水器装置における圧力吸収器２３２のようなものも省略することが可能である。
【００３７】
尚、単水栓から成る上例の水栓装置１８に代えて、図５に示しているように混合水栓装置、例えば２ハンドル式の混合水栓装置７１を設置しておき、電気温水器１６からの温水と水道水とを混合して吐水口２８から吐水させるようになすこともできる。
【００３８】
尚図５において４４Ｈは湯側の回転ハンドル、４４Ｃは水側の回転ハンドル、３４はその混合水栓装置７１における水栓本体、２８は吐水口である。
この場合において水栓本体３４内部の温水側の主流路３８上に上記逃し機構５８を設けておくことができる。
【００３９】
図３（Ｂ）は本発明の他の実施例を示したもので、この例は所定容積の圧力吸収室６８を有する圧力吸収器７０を電気温水器１６に連通する状態で設け、電気温水器１６での加温時の膨張水ないし膨張水による圧力上昇をその圧力吸収室６８で吸収するようになした例である。
【００４０】
この例の場合、通常の使用時において日常的に電気温水器１６で発生する比較的少量の膨張水ないしこれに伴う圧力上昇については圧力吸収室６８にて吸収し、異常発生により膨張水が多量に生じたときだけ一部の膨張水を水栓装置１８に備えた逃し機構５８を通じ吐水口２８から逃すことができる。
【００４１】
本発明においては、上記水栓装置１８に代えて電磁弁式の水栓装置を用いることも可能である。図６はその要部を示している。
同図において、７２はハウジング７４内部の主流路３８上に設けられたダイヤフラム式の主弁で、７６は弁座である。
７８は主弁７２の背面側に形成された背圧室で、主弁７２は通常時はこの背圧室７８の圧力で弁座７６に押し付けられ、主流路３８を閉じた状態にある。
【００４２】
そして背圧室７８内の水が後述の下流部３８ｂに抜けて背圧室７８の圧力が消失すると、上流部３８ａの圧力で主弁７２が図６中上向きに開弁し、主流路３８を開放する。ここにおいて主流路３８内部に水流が生じる。
この背圧室７８と上流部３８ａとは、主弁７２に形成された小孔８０を通じて連通した状態にある。
【００４３】
６１は背圧室７８と主流路３８における下流部３８ｂとを連通させる状態で設けられた、主弁７２のパイロット操作のための水抜流路で、この例では水抜流路６１と背圧室７８及び主弁７２に形成された貫通の小孔８０によって、逃し機構５８における逃し流路が構成されている。
【００４４】
８２はラッチ式の電磁弁でプランジャ弁８４と、電磁吸引力でプランジャ弁８４を図６中上向きに引き上げ、または電磁反発力によってプランジャ弁８４を図６中下向きに押し出すソレノイドコイル８６、プランジャ弁８４を下向きに付勢するばね８８、更にプランジャ弁８４を開弁位置に保持するラッチマグネット８９を有している。
【００４５】
この例において、プランジャ弁８４はダイヤフラム式の主弁７２をパイロット操作するパイロット弁としての機能と、逃し機構５８における逃し弁としての機能を有している。
【００４６】
このプランジャ弁８４は背圧室７８の外部に設けられており、且つ背圧室７８の圧力に抗して閉弁する向きで設けられている。
詳しくは水抜流路６１上に形成された弁座９０に対し、背圧室７８の圧力に抗して図６中下向きに着座する向きで設けられている。
またばね８８は、プランジャ弁８４を背圧室７８の圧力に抗して閉弁させる向きにこれを図中下向きに付勢している。
【００４７】
この例では、図７（Ａ）に示しているようにソレノイドコイル８６への通電によってプランジャ弁８４を開弁させ且つその開弁位置に保持すると、背圧室７８内の水が水抜流路６１を通じて下流部３８ｂへと流れ込み、背圧室７８の圧力が消失する。
図７（Ｂ）に示しているようにここにおいて主弁７２が開弁し、主流路３８において上流部３８ａから下流部３８ｂへの流れが生ずる。
【００４８】
またソレノイドコイル８６への逆向きの通電によって、プランジャ弁８４を図中下向きに押し出し、これを閉弁させて水抜流路６１を閉鎖すると、小孔８０を通じて上流部３８ａから背圧室７８に水が流入することにより背圧室７８の圧力が上昇し、その圧力により主弁７２が閉弁して主流路３８を閉鎖する。
【００４９】
一方電気温水器１６での加温時に膨張水が生ずると、その膨張水の圧力によって、図６に拡大して示すようにプランジャ弁８４がばね８８の付勢力に抗して図６中上向きに押し上げられ、生じた膨張水が逃し流路を通じて、詳しくは上流部３８ａから小孔８０，背圧室７８及び水抜流路６１を経て下流部３８ｂに流出する。
【００５０】
次に図８は本発明の温水器装置に用いられる水栓装置の更に他の例を示している。
同図において９２はその水栓装置を示しており、９４はその吐水管である。吐水管９４は先端に吐水口２８を有している。
９６は主流路３８上に設けられた主弁で、９８は弁座である。
【００５１】
１００は背圧室で、主弁９６は通常はこの背圧室１００の圧力によって閉弁した状態にある。
この背圧室１００は、小孔８０を通じて上流部３８ａと連通している。
【００５２】
１０２は電磁弁でプランジャ弁１０４とソレノイドコイル１０６とを有している。
本例においてもプランジャ弁１０４は逃し機構５８における逃し弁としての機能を有している。
【００５３】
１０８は背圧室１００を形成するための隔壁で、図９の部分拡大図に詳しく示しているようにこの隔壁１０８には、水抜流路１１４の一部を成す貫通の小孔１１０が設けてある。
尚図９の部分拡大図において１１２は弁座である。
【００５４】
そしてこの水抜流路１１４上に、上記逃し弁としての機能を有するプランジャ弁１０４が開閉可能に設けられている。
ここでプランジャ弁１０４は、背圧室１００の外部において且つその背圧室１００の圧力に抗して閉弁する向きで設けられている。
またプランジャ弁１０４を付勢するばね１１６も、このプランジャ弁１０４を閉弁方向に付勢する向きで設けられている。
【００５５】
本例においても、主弁９６に形成された小孔８０，背圧室１００及び水抜流路１１４にて、膨張水を逃すための逃し流路が構成されている。
この例にあっては、ソレノイドコイル１０６への通電によってプランジャ弁１０４を図中上向きに引き上げると、背圧室１００の圧力が消失して主弁９６が開弁し、電気温水器１６からの温水が吐水口２８から吐水される。
【００５６】
またこの状態でソレノイドコイル１０６への上記とは逆向きの通電を行い、プランジャ弁１０４を図中下向きに押し下げて閉弁させると、続いて主弁９６が閉弁して吐水口２８からの温水の吐水が停止する。
【００５７】
一方電気温水器１６での加温によって膨張水が生ずると、その圧力により逃し弁としての機能を有するプランジャ弁１０４が、ばね１１６の付勢力に抗して図中上向きに強制的に押し上げられ、膨張水を逃し流路、即ち小孔８０，背圧室１００，水抜流路１１４を通じて吐水口２８から逃す。
【００５８】
尚図６及び図７に示す実施例、更に図８及び図９に示す実施例において、図３（Ｂ）の例と同様に圧力吸収器７０を設けておくことも可能で、これらの場合には逃し機構５８は何れも異常時において多量に生じた膨張水の一部を逃す安全機構として働くものとなる。
【００５９】
以上本発明の実施例を詳述したが、これらはあくまで一例示である。
例えば上例における電磁弁及び主弁と吐水口とを離隔した形態で水栓装置を構成することも可能であるし、また本発明は電気温水器以外の温水器を有する温水器装置に適用することも可能であるなど、その趣旨を逸脱しない範囲において種々変更を加えた形態で構成可能である。
【図面の簡単な説明】
【図１】本発明の一実施例である温水器装置を洗面台への設置状態で示す図である。
【図２】図１の温水器装置の全体構成を示す図である。
【図３】図２の要部及び本発明の他の実施例の要部を一部切り欠いて示す図である。
【図４】図１の温水器装置における水栓装置を一部切り欠いて示す図である。
【図５】本発明の他の実施例の温水器装置に用いる水栓装置を洗面台への設置状態で示す図である。
【図６】本発明の他の実施例の要部断面図である。
【図７】図６に示す要部の作用説明図である。
【図８】本発明の更に他の実施例における水栓装置の断面図である。
【図９】図８の要部を拡大して示す図である。
【図１０】従来公知の温水器装置の図である。
【符号の説明】
１６  電気温水器
１８，９２  水栓装置
２８  吐水口
３８  主流路
３８ａ  上流部
３８ｂ  下流部
４２，７２，９６  主弁
５８  逃し機構
６０  逃し流路
６１，１１４  水抜流路
６２  逃し弁
６４，７６，９０，９８，１１２  弁座
６６，８８，１１６  ばね
６８  圧力吸収室
７１  混合水栓装置
８４，１０４  プランジャ弁（逃し弁）
【図１】
2004245492.tif 000003
【図２】
2004245492.tif 000004
【図３】
2004245492.tif 000005
【図４】
2004245492.tif 000006
【図５】
2004245492.tif 000007
【図６】
2004245492.tif 000008
【図７】
2004245492.tif 000009
【図８】
2004245492.tif 000010
【図９】
2004245492.tif 000011
【図１０】
2004245492.tif 000012